(57)【要約】【課題】写真フィルムを一定の長さの後端部（舌端部）を残してスプールに決められた限度時間内に巻取る時、撮影規定枚数に応じて長さが異なる写真フィルム、写真フィルムの支持体の厚さ及び厚さの変動に対しても、常に安定した一定の長さの後端部（舌端部）を残してスプールに巻取る方法の提供。【解決手段】スプールを高速回転から低速回転と連続回転し写真フィルムの一定の長さの後端部を残して、該スプールに設定されている時間内で写真フィルムを巻取る方法において、該設定されている巻取り限度時間に対して５〜３０％の余裕時間を残し、且つ、該低速回転時間が０．０５〜０．３秒になるように該高速回転から該低速回転への切り換えポイントを制御して、前記スプールに前記写真フィルムを巻取ることを特徴とする写真フィルムの巻取り方法。【選択図】        図１
2004226527.tif 000002
【特許請求の範囲】
【請求項１】
一定の長さに切断された写真フィルムの先端部をスプールに係止し、該スプールを、加速回転、高速回転、減速回転、低速回転に切り替えて連続回転し、該写真フィルムの後端部を検出し、前記スプールの回転を停止し、前記写真フィルムの一定の長さの後端部を残して予め設定されている巻取り限度時間内で前記スプールに前記写真フィルムを巻取る方法において、該設定されている巻取り限度時間に対して５〜３０％の余裕時間を残し、且つ、該低速回転を行う時間が０．０５〜０．３秒になるように該高速回転から前記低速回転への切り換えポイントを制御して、前記スプールに前記写真フィルムを巻取ることを特徴とする写真フィルムの巻取り方法。
【請求項２】
前記切り換えポイントは、スプールに写真フィルムを巻取った後、常に直前の残された余裕時間及び低速回転を行う時間と予め設定されている巻取り限度時間に対する余裕時間及び低速回転を行う時間とを比較し、該設定されている巻取り限度時間に対して５〜３０％の余裕時間及び低速回転を行う時間が０．０５〜０．３秒を外れている場合は、設定されている巻取り限度時間に対して５〜３０％の余裕時間を残し、且つ低速回転を行う時間が０．０５〜０．３秒になるように修正されることを特徴とする請求項１に記載の写真フィルムの巻取り方法。
【請求項３】
前記切り換えポイントは、複数本の写真フィルムを複数本のスプールへ巻取った後、これらの残された余裕時間の平均時間及び低速回転を行う時間の平均時間と予め設定されている巻取り限度時間に対する余裕時間及び低速回転を行う時間とを比較し、該設定されている巻取り限度時間に対して５〜３０％の余裕時間及び低速回転を行う時間が０．０５〜０．３秒を外れている場合は、設定されている巻取り限度時間に対して５〜３０％の余裕時間を残し、且つ低速回転を行う時間が０．０５〜０．３秒になるように修正されることを特徴とする請求項１に記載の写真フィルムの巻取り方法。
【請求項４】
前記複数本の写真フィルムの巻取りは、複数の巻取りステーションを有するターレット方式の巻取り装置を使用し、初回は全巻取りステーションが一巡するまで写真フィルムのスプールへの巻取りを行い、これらの個別の巻取りステーションにおける残された余裕時間及び低速回転を行う時間と予め設定されている余裕時間及び低速回転を行う時間とを比較し、該設定されている巻取り限度時間に対して５〜３０％の余裕時間及び低速回転を行う時間が０．０５〜０．３秒を外れている場合は、設定されている巻取り限度時間に対して５〜３０％の余裕時間を残し、且つ低速回転を行う時間が０．０５〜０．３秒になるように対応した個別の巻取りステーションの高速回転から減速回転への切り換えポイントを修正することを特徴とする請求項３に記載の写真フィルムの巻取り方法。
【発明の詳細な説明】
【０００１】
【発明の属する技術分野】
本発明は、一定の長さに切断した１３５タイプ写真フィルムの先端部をスプールに係止したあと、一定の長さの後端部を残してスプールに１３５タイプ写真フィルムを巻取りスクロールを作製するため写真フィルムの巻取方法に関する。
【０００２】
【従来の技術】
撮影枚数により長さが異なる３５ｍｍ写真フィルム（以下、写真フィルムとも言う）をスプールに巻取り、スクロールを作製した後、このスクロールをパトローネに入れたパトローネ入りの写真フィルムは、カメラへフィルムを装填する時に写真フィルムをカメラ内部の巻取り軸に係合させるために写真フィルムの端部をパトローネの外部に出した状態で製品化している。
【０００３】
フィルムの製造工程では、センサで写真フィルムの後端部を検出し、スプールに写真フィルムを全部巻取らず、一定の長さを残して巻取りを停止するようにしている。これは撮影規定枚数（１２枚撮り、２４枚撮り、３６枚撮り）が異なる各種写真フィルムでも同様にして行われている。しかし、巻取りの効率化のために、この巻取りを高速で行うと、巻取りの停止タイミングがずれて写真フィルムを残す長さが一定でならなくなる場合がある。
【０００４】
もし、パトローネから出ている写真フィルムの後端部（舌端部）の長さが異なっているフィルムを自動装填タイプのカメラに装填した場合、自動装填タイプのカメラの種類によっては装填したフィルムの巻上げが出来なくなる場合がある。
【０００５】
この様な場合は、一旦装填したフィルムを取り出し、後端部（舌端部）を不足している長さだけ手で引き出し、カメラに装填することで巻上げは出来るのであるが、カメラ及びフィルムの取り扱いに慣れていないユーザーでは撮影を諦めてしまう場合もある。
【０００６】
この様な状態にならないようにするため、同じ撮影枚数のフィルム、及び撮影規定枚数（１２枚撮り、２４枚撮り、３６枚撮り）が異なるフィルム間の後端部（舌端部）の長さを一定にするため次の様な対応が知られている。
【０００７】
１）一定の長さの後端部（舌端部）を残して写真フィルムをスプールに巻取る方法において、前半を高速回転、後半を低速回転に切り換えてスプールを連続回転させて写真フィルムを巻取り、写真フィルムの後端部（舌端部）をセンサで検出し、スプールの回転を停止し、且つ高速回転中の加速回転時間と減速回転時間の比が１：２から１：５０に予めプログラムすることによって、写真フィルムの後端部（舌端部）の停止精度を出すことが知られている（例えば、特許文献１参照。）。
【０００８】
しかしながら、この巻取り方法の場合は次の様な欠点を有している。
減速ポイントに入る時間を一定にしているため、写真フィルムの支持体の厚さ、厚さのバラツキの変化によって、スプールの１回転当たりの写真フィルム巻付け量が変化するため、巻取り時間が変動してしまう。このため、予想以上に巻取り時間を要したり、巻取りを止める際の速度に変化が生じてしまい写真フィルムの後端部（舌端部）の長さが一定でなくなる。例えば写真フィルムの支持体の厚さが厚くなった場合、スプールの回転当たりの巻取り量が多くなり、スプールの減速回転中の写真フィルム端末をセンサが検出しスプールの回転を停止させるため巻過ぎになってしまうため写真フィルムの後端部（舌端部）が短くなってしまう。又、写真フィルムの支持体の厚さが薄くなった場合、スプールの回転当たりの巻取り量が少なくなり、巻取り時間が掛かり過ぎるため決められた巻取り時間を越えてしまい巻取りが停止するため写真フィルムの後端部（舌端部）が長くなってしまう。
【０００９】
２）撮影規定枚数に応じて長さが異なる複数種類の写真フィルムを一定の長さの後端部（舌端部）を残してスプールに巻取る方法において、前半を高速回転、後半を低速回転に切り換えてスプールを連続回転させて写真フィルムを巻取り、高速回転から低速回転へ切り換えるポイントを、１）撮影規定枚数が最も少ない写真フィルムの長さを基準にして高速巻取りを行った後、２）高速巻取り中にスプール一定の距離に配置したセンサにより写真フィルムの後端部（舌端部）を検出することで行う。この後、写真フィルムの低速巻取りを行い、センサによって写真フィルムの後端部（舌端部）の通過が検知された時点でスプールの回転を停止させる方法が知られている（例えば、特許文献２参照。）。
【００１０】
しかしながら、この巻取り方法の場合は次の様な欠点を有している。高速巻取りから低速巻取りに切り換えるタイミングを決定するセンサが撮影規定枚数が最も少ない写真フィルム（例えば１２枚撮り）に合わせ行っているため、撮影規定枚数が最も多い写真フィルム（例えば３６枚撮り）では低速巻取りを行う長さが長くなり、巻取りの高速化が出来なくなり工程の稼働率が上がらない原因の一つになる。又、高速化を行うには撮影規定枚数毎にセンサの位置を変える必要があり生産効率が上がらない。
【００１１】
この様な状況から、写真フィルムを一定の長さの後端部（舌端部）を残してスプールに決められた限度時間内に巻取る時、撮影規定枚数に応じて長さが異なる写真フィルム、写真フィルムの支持体の厚さ及び厚さの変動に対しても、常に安定した一定の長さの後端部（舌端部）を残してスプールに巻取る方法の開発が望まれている。
【００１２】
【特許文献１】
特開平６−１６２９８号公報
【００１３】
【特許文献２】
特開平９−６８７７９号公報
【００１４】
【発明が解決しようとする課題】
本発明は、かかる状況に鑑みてなされたもので、その目的は、写真フィルムを一定の長さの後端部（舌端部）を残してスプールに決められた限度時間内に巻取る時、撮影規定枚数に応じて長さが異なる写真フィルム、写真フィルムの支持体の厚さ及び厚さの変動に対しても、常に安定した一定の長さの後端部（舌端部）を残してスプールに巻取る方法を提供することである。
【００１５】
【課題を解決するための手段】
本発明の上記目的は、以下の構成により達成された。
【００１６】
１）一定の長さに切断された写真フィルムの先端部をスプールに係止し、該スプールを、加速回転、高速回転、減速回転、低速回転に切り替えて連続回転し、該写真フィルムの後端部を検出し、前記スプールの回転を停止し、前記写真フィルムの一定の長さの後端部を残して予め設定されている巻取り限度時間内で前記スプールに前記写真フィルムを巻取る方法において、該設定されている巻取り限度時間に対して５〜３０％の余裕時間を残し、且つ、該低速回転を行う時間が０．０５〜０．３秒になるように該高速回転から前記低速回転への切り換えポイントを制御して、前記スプールに前記写真フィルムを巻取ることを特徴とする写真フィルムの巻取り方法。
【００１７】
２）前記切り換えポイントは、スプールに写真フィルムを巻取った後、常に直前の残された余裕時間及び低速回転を行う時間と予め設定されている巻取り限度時間に対する余裕時間及び低速回転を行う時間とを比較し、該設定されている巻取り限度時間に対して５〜３０％の余裕時間及び低速回転を行う時間が０．０５〜０．３秒を外れている場合は、設定されている巻取り限度時間に対して５〜３０％の余裕時間を残し、且つ低速回転を行う時間が０．０５〜０．３秒になるように修正されることを特徴とする１）に記載の写真フィルムの巻取り方法。
【００１８】
３）前記切り換えポイントは、複数本の写真フィルムを複数本のスプールへ巻取った後、これらの残された余裕時間の平均時間及び低速回転を行う時間の平均時間と予め設定されている巻取り限度時間に対する余裕時間及び低速回転を行う時間とを比較し、該設定されている巻取り限度時間に対して５〜３０％の余裕時間及び低速回転を行う時間が０．０５〜０．３秒を外れている場合は、設定されている巻取り限度時間に対して５〜３０％の余裕時間を残し、且つ低速回転を行う時間が０．０５〜０．３秒になるように修正されることを特徴とする１）に記載の写真フィルムの巻取り方法。
【００１９】
４）前記複数本の写真フィルムの巻取りは、複数の巻取りステーションを有するターレット方式の巻取り装置を使用し、初回は全巻取りステーションが一巡するまで写真フィルムのスプールへの巻取りを行い、これらの個別の巻取りステーションにおける残された余裕時間及び低速回転を行う時間と予め設定されている余裕時間及び低速回転を行う時間とを比較し、該設定されている巻取り限度時間に対して５〜３０％の余裕時間及び低速回転を行う時間が０．０５〜０．３秒を外れている場合は、設定されている巻取り限度時間に対して５〜３０％の余裕時間を残し、且つ低速回転を行う時間が０．０５〜０．３秒になるように対応した個別の巻取りステーションの高速回転から減速回転への切り換えポイントを修正することを特徴とする３）に記載の写真フィルムの巻取り方法。
【００２０】
【発明の実施の形態】
本発明に係る実施の形態を図１〜図７を参照して説明するが、本発明はこれに限定されるものではない。
【００２１】
図１はパトローネ入り写真フィルムの分解斜視図である。
図中、１はパトローネ入り写真フィルムを示す。２はパトローネを示し、胴体２０１と、胴体２０１の両端に設ける２つのキャツプ２０２ａ、２０２ｂとを有している。２０３ａ、２０３ｂはパトローネ２のフィルム出口の上下に貼着された遮光部材を示す。２０２ａ１はキャツプ２０２ａに設けられた、スプール３０１の長ハブ３０１ａを軸支する穴を示す。２０２ｂ１はキャツプ２０２ｂに設けられた、スプール３の短ハブ３０１ｂ（図３を参照）を軸支する穴を示す。
【００２２】
３はスプール３０１に写真フィルム３０２を巻取ったスクロールを示す。３０２ａは写真フィルム３０２の後端部（舌端部）を示す。３０１ｃは長ハブ３０１ａ側のフランジを示し、３０１ｄは短ハブ３０１ｂ（図３を参照）側のフランジを示す。
【００２３】
スクロール３は写真フィルム３０２の後端部（舌端部）３０２ａをパトローネ２より一定の長さを出した状態で、長ハブ３０１ａ、短ハブ３０１ｂ（図３を参照）を各キャップ２０２ａ、２０２ｂの各穴２０２ａ１、２０２ｂ１に軸支することで回転可能に組み立てられている。
【００２４】
パトローネ２のフィルム出口から出ている写真フィルム３０２の後端部（舌端部）３０２ａの長さＬのバラツキは、スクロール３を作製するときに発生する場合が多いため、後端部（舌端部）３０２ａの長さを一定にすることが重要となっている。
【００２５】
図２は図１に示されるスクロールのスプールと写真フィルムの先端部との係止状態を示す概略斜視図である。図２の（ａ）はスプールの形状と写真フィルムの先端部を示す概略斜視図である。図２の（ｂ）は写真フィルムの先端部をスプールに係止した状態を示す概略斜視図である。
【００２６】
図中、３０１ｅはスプール３０１の軸を示し、３０１ｆは軸３０１ｅに設けたスリットを示し、３０１ｇはスリット３０１ｆに設けた係止爪を示し、３０１ｈは押さえ爪を示す。３０２ｂは写真フィルム３０２の先端部を示し、３０２ｃは係止孔を示す。写真フィルム３０２の先端部３０２ｂをスリット３０１ｆに挿入することで係止孔３０２ｃが係止爪３０１ｇに係止されることで写真フィルム３０２はスプール３０１に係止した状態となる。この状態でスプールに写真フィルムを巻取ることで図１に示されるスクロール３が作製される。
【００２７】
図３は、図１に示されるスクロールをターレット方式により製造する一例を示す概略図である。
【００２８】
図中、３０１ｂはスプール３０１の短ハブを示す。４は各ステーションで製造された中間品を次のステーションに移動させる移動手段のターレットを示す。本図では連続的に生産するためにターレットを用いた場合を示しているが、勿論同じ位置で個別にスクロールを製造する方法であってもかまわない。４０１はターレット４上に配設されたスプールチャックを示す。本図の場合、スプールチャック４０１はスクロールを順次製造し次の工程に受け渡すための各ステーションＳＴ１〜ＳＴ６に対応して６個のスプールチャック４０１ａ〜４０１ｆをターレット４上に有している。他の符号は図１、図２と同義である。
【００２９】
ステーションＳＴ１では、スプール供給部（不図示）よりスプール３０１が供給される。供給されたスプール３０１はターレット４上のスプールチャック４０１ａに長ハブ３０１ａ側がチャッキングされる。この状態ではスプール３０１のスリット３０１ｅの向きは一定となっていない。スプールチャック４０１ａにスプール３０１がチャッキングされると、ターレット４はステーションＳＴ２に回動（図中の矢印方向）する。
【００３０】
ステーションＳＴ２では、ステーションＳＴ１でスプールチャック４０１ａにチャッキングされたスプール３０１はオリエンテーション用の爪（不図示）によりスプール３０１のスリット３０１ｅの方向を一定にする。この後、ターレット４はステーションＳＴ３に回動（図中の矢印方向）する。このとき勿論、ステーションＳＴ２においては、後続のスプールチャック４０１ｆに供給されたスプールのオリエンテーションが行われ、ステーションＳＴ１においては更にその後のスプールが供給されスプールチャック４０１ｅにチャッキングされる。
【００３１】
ステーションＳＴ３では、フィルム供給部（不図示）より一定の長さに切断された写真フィルム３０２が供給され、スプールチャック４０１ａにチャッキングされた状態のスプール３０１のスリット３０１ｅに写真フィルムの先端部３０２ｂが挿入され、先端部３０２ｂに設けられた係止孔３０２ｃがスリット３０１ｅ内に設けられた係止爪３０１ｇに係合することでスプール３０１に写真フィルム３０２が係止される。スプール３０１に写真フィルム３０２が係止された後、ターレット４はステーションＳＴ４に回動（図中の矢印方向）する。
【００３２】
ステーションＳＴ４では、スプールチャック４０１ａにチャッキングされた状態のスプール３０１に係止されている写真フィルム３０２を巻取り装置（不図示）により、一定の長さの後端部（舌端部）３０２ａを残した状態でスプールに巻取りスクロール３を製造する。この後、ターレット４はステーションＳＴ５に回動（図中の矢印方向）する。尚、巻取り方法についての詳細は後述する。
【００３３】
ステーションＳＴ５では、スプールチャック４０１ａにチャッキングされた状態のスクロール３の後端部（舌端部）３０２ａの長さ、及び巻状態がチェツクされ。この後、ターレット４はステーションＳＴ６に回動（図中の矢印方向）する。
【００３４】
ステーションＳＴ６では、合格となったスクロールを次の工程に受け渡す。受け渡しが終了した後、ターレット４はステーションＳＴ１に回動（図中の矢印方向）し、各ステーションＳＴ１〜ＳＴ６のサイクルを繰り返し、スクロールを作製し次の工程に供給を行う。
【００３５】
以上、各ステーションＳＴ１〜ＳＴ６を経由することでスクロールが製造される。次に、図３のステーションＳＴ４で行われる巻取りに付き、図４〜図７で詳細に説明する。
【００３６】
図４は巻取り状態を示す概略斜視図である。図４の（ａ）は巻取り途中の状態を示す概略斜視図である。図４の（ｂ）は巻取り終了の状態を示す概略斜視図である。尚、本図ではターレット及びスプールチャックは省略してある。
【００３７】
図中、５は写真フィルム３０２の後端部（舌端部）３０２ａを検出するためのセンサを示す。６は巻取り装置を示し、６０１は駆動源を示し、６０２は回転部を示す。回転部６０２とスプール３０１の短ハブ３０１ｂとが係合することで巻取方向に強制回転され、写真フィルム３０２はスプール３０１に巻取られる。駆動源６０１は巻取りが終わりに近づき、センサ５が写真フィルム３０２の後端部（舌端部）３０２ａを検出した信号を受けることで巻取りを停止する様に制御されている。巻取り装置６はターレットが回動し、ＳＴ４が定位置にきたとき、待機位置より移動（図中の矢印方向）し、スプール３０１の短ハブ３０１ｂと回転部とを着脱可能に係合し、巻取りが終了した後は、短ハブ３０１ｂとの係合を解除し待機位置に戻る様に制御されている。駆動源６０１としては、パルスモータ、サーボモータ等が挙げられ。
【００３８】
巻取り装置６はスクロール製造装置のフレームに移動可能に配設されており、移動する手段は特には限定はなく、例えばカム、エアーシリンダ等が挙げられる。
【００３９】
センサ５はスクロール製造装置のフレームに移動可能に配設されており、使用するセンサ５は特に限定はなく、例えば光電センサ、超音波センサ等が挙げられる。
【００４０】
７は駆動源６０１を制御するＰｒｏｇｒａｍｍａｂｌｅ  Ｌｏｇｉｃ  Ｃｏｎｔｒｏｌｌｅｒ（ＰＬＣ）を示し、８は駆動源６０１を動かすためのドライバーを示す。巻取り装置６は、ドライバー８を介してＰＬＣ７により制御され巻取りを行っている。
【００４１】
図５は、ＰＬＣにより制御された駆動源による巻取りカーブを示す概略図である。
【００４２】
図中、Ｔ１は巻取り開始時点から高速回転になった時間を示し、Ｔ２は低速回転に移る時間（スプールの回転を高速回転から低速回転へ切り換える切り換えポイントＸと同じ）を示し、Ｔ３は低速回転になった時間を示し、Ｔ４は写真フィルムの後端部（舌端部）をセンサーが検出し低速回転が停止し巻取り終了の時間を示す。Ｔは１個のスプールに決められた長さの写真フィルムの巻取りを終了させるために予め設定されている巻取り限度時間を示す。
【００４３】
ＰＬＣによる制御では、巻取りが完了せずに巻取り限度時間Ｔを超えた場合は巻取りを中止し、不良品として排出するようになっている。尚、巻取り限度時間Ｔは巻取る写真フィルムの長さ（例えば撮影規定枚数の１２枚撮り、２４枚撮り、３６枚撮り）で異なっている。更に、巻取り限度時間Ｔは、加速回転を行う時間（以下、加速回転時間とも言う）（Ｔ１）、高速回転を行う時間（以下、高速回転時間とも言う）（Ｔ２−Ｔ１）、減速回転を行う時間（以下、減速回転時間とも言う）（Ｔ３−Ｔ２）、低速回転を行う時間（以下、低速回転時間とも言う）（Ｔ４−Ｔ３）、余裕時間（Ｔ−Ｔ４）に分割されている。
【００４４】
本図は、予め設定されている巻取り限度時間Ｔ内で、加速回転（回転開始〜高速回転になった時間Ｔ１の間）、高速回転（高速回転になった時間時間Ｔ１〜低速回転に移る時間Ｔ２の間）、減速回転（低速回転に移る時間Ｔ２〜低速回転になった時間Ｔ３の間）、低速回転（低速回転になった時間Ｔ３〜巻取り終了の時間Ｔ４の間）を行い、余裕領域（巻取り終了の時間Ｔ４〜巻取り限度時間Ｔの間）を残し巻取る巻取りカーブを示す。駆動源は、この巻取りカーブを行う様にドライバーを介してＰＬＣにより制御されている。尚、減速回転とは高速回転から低速回転へ移るまでに回転数を減速していくことを言う。
【００４５】
本発明の写真フィルムの巻取り方法では、余裕時間（Ｔ−Ｔ４）は予め設定されている巻取り限度時間Ｔに対して５〜３０％に維持し、且つ低速回転時間（Ｔ４−Ｔ３）を０．０５〜０．３秒になるように切り換えポイントＸを制御して行う方法である。
【００４６】
低速回転時間が０．０５〜０．３秒で余裕時間が５％未満の場合、撮影規定枚数に応じて長さが異なる写真フィルム、写真フィルムの支持体の厚さ及び厚さの変動によっては、時間内に巻取りが完了しなくなることが生じ好ましくない。低速回転時間が０．０５〜０．３秒で余裕時間が３０％を超えた場合、撮影規定枚数に応じて長さが異なる写真フィルム、写真フィルムの支持体の厚さ及び厚さの変動に対してもゆとりが出て安定した巻取りが可能となるが、必要以上に巻取りに時間が掛かり、効率化が出来なくるため好ましくない。
【００４７】
余裕時間が５〜３０％で低速回転時間が０．０５秒未満の場合、撮影規定枚数に応じて長さが異なる写真フィルム、写真フィルムの厚さ及び厚さの変動に対応することが困難となり、巻取りが出来なくなるため好ましくない。余裕時間が５〜３０％で低速回転時間が０．３秒を超えた場合、撮影規定枚数に応じて長さが異なる写真フィルム、巻取り状態の変化に対してはゆとりが出て安定した巻取りが可能となるが、必要以上に巻取りに時間が掛かり、効率化が出来なくるため好ましくない。
【００４８】
図６は、図４の巻取り装置を構成する各部材の関係を示す概略のブロック図である。
【００４９】
以下に図４の巻取り装置６を構成する各部材の関係に付き図６を用いて説明する。ＰＬＣ７は予めメモリ７０１に記憶されている巻取りカーブ（図５を参照）になるようにドライバ８を介して駆動源６０１の駆動を制御する。駆動源６０１の駆動によりフィルム１本をスプールに巻取った時の低速回転時間と余裕時間の情報は、ドライバ８を介してＰＬＣ７のＣＰＵ７０２に入力される。
【００５０】
入力された低速回転時間と余裕時間の情報は、ＣＰＵ７０２により予め設定されている巻取り限度時間に対する余裕時間及び低速回転時間に対して比較し、余裕時間と低速回転時間とが設定されている巻取り限度時間に対する余裕時間及び低速回転時間から外れている場合は、切り換えポイントの修正が行われる。次の巻取りは切り換えポイントを修正した巻取りカーブ（図５を参照）になるようにドライバ８を介して駆動源６０１を制御して行われる。
【００５１】
センサ５は写真フィルムの後端部（舌端部）を検出し、検出した情報はＰＬＣ７のＣＰＵ７０２に入力され、情報に従ってドライバ８を介して駆動源６０１の駆動を停止する。
【００５２】
図７は巻取りカーブの修正の概略フロー図である。
巻取りカーブの修正とは、余裕時間と低速回転時間とを予め設定されている巻取り限度時間に対して５〜３０％の余裕時間を残し、且つ低速回転を行う時間が０．０５〜０．３秒になるようにスプールの回転を高速回転から低速回転へ切り換える切り換えポイントを修正することをいう。本図に示すフローで、図４に示す巻取り装置を使用し、写真フィルムのスプールへの巻取りを行った時の巻取りカーブを修正するまでを説明する。
【００５３】
最初は、予め設定されている写真フィルムの長さ（撮影規定枚数）に合わせた巻取りカーブを選択する。選択した巻取りカーブにより写真フィルムのスプールへの巻取りを行う。この時、低速回転時間（Ｔ４−Ｔ３）、余裕時間（Ｔ−Ｔ４）に関する情報はドライバーを経由してＰＬＣのＣＰＵへ入力される。
【００５４】
ＣＰＵへ入力された余裕時間（Ｔ−Ｔ４）及び低速回転時間（Ｔ４−Ｔ３）と、予め入力されている設定されている巻取り限度時間に対する余裕時間及び低速回転時間とを比較する。
【００５５】
低速回転時間（Ｔ４−Ｔ３）が設定されている巻取り限度時間に対する低速回転時間外にある場合、低速回転時間（Ｔ４−Ｔ３）を０．０５〜０．３秒になるように切り換えポイントＸの修正値α（時間）を決める。低速回転時間（Ｔ４−Ｔ３）が設定されている巻取り限度時間に対する低速回転時間内にある場合は切り換えポイントＸの修正は行わない。
【００５６】
余裕時間（Ｔ−Ｔ４）が設定されている巻取り限度時間に対する余裕時間より外れている場合、余裕時間（Ｔ−Ｔ４）を巻取り限度時間Ｔに対して５〜３０％になるように切り換えポイントＸの修正値β（時間）を決める。余裕時間（Ｔ−Ｔ４）が設定されている巻取り限度時間に対する余裕時間内にある場合は切り換えポイントＸの修正は行わない。
【００５７】
求められた修正値α（時間）と修正値β（時間）とから、余裕時間（Ｔ−Ｔ４）を巻取り限度時間Ｔに対して５〜３０％に維持し、且つ低速回転時間（Ｔ４−Ｔ３）を０．０５〜０．３秒に維持するように切り換えポイントＸの修正値を決める。この時、修正値α（時間）と修正値β（時間）との関係は、修正値α（時間）＜修正値β（時間）とすることが好ましい。
【００５８】
この様にして得られた切り換えポイントＸの修正値により、予め設定されている写真フィルムの長さ（撮影規定枚数）に合わせ、設定されている巻取り限度時間に対する余裕時間及び低速回転時間になるように巻取りカーブの切り換えポイントＸを修正する。次回の写真フィルムのスプールへの巻取りは修正した切り換えポイントＸで行う。
【００５９】
次に、写真フィルムのスプールへの巻取りを修正された切り換えポイントＸで行う方法の好ましい例を図３に示すターレット方式の場合につき説明する。
【００６０】
１）例えば、ステーションＳＴ４で行われる写真フィルムのスプールへの巻取りがスプールチャック４０１ａを使用して行った場合、低速回転時間及び余裕時間に関する情報はドライバーを介してＰＬＣのＣＰＵへ入力される。入力された低速回転時間及び余裕時間と予め設定されている巻取り限度時間に対する余裕時間及び低速回転時間とを比較する。低速回転時間及び余裕時間が設定されている巻取り限度時間に対する余裕時間及び低速回転時間から外れている場合は、余裕時間が予め設定されている巻取り限度時間Ｔに対して５〜３０％で、且つ低速回転時間を０．０５〜０．３秒になるように切り換えポイントＸを修正する。
【００６１】
次にステーションＳＴ４で行われるスプールチャック４０１ｆを使用した写真フィルムのスプールへの巻取りは、この修正された切り換えポイントＸにより行われる。以下、順次直前の写真フィルムのスプールへの巻取りにおける余裕時間及び低速回転時間に従って修正された切り換えポイントＸにより巻取りを行う。
【００６２】
２）ステーションＳＴ４で行われる初回の写真フィルムのスプールへの巻取りを、高速回転から低速回転への切り換えポイントＸを修正することなしにターレットに配設してあるスプールチャック４０１ａ〜４０１ｆが一巡するまで行う。このとき各スプールチャック４０１ａ〜４０１ｆの余裕時間及び低速回転時間に関する情報は、ドライバーを介してＰＬＣのＣＰＵへ入力される。入力された各スプールチャック４０１ａ〜４０１ｆの余裕時間及び低速回転時間と予め設定されている巻取り限度時間に対する余裕時間及び低速回転時間とを比較する。余裕時間及び低速回転時間が設定されている巻取り限度時間に対する余裕時間及び低速回転時間より外れている場合は、余裕時間が予め設定されている巻取り限度時間Ｔに対して５〜３０％で、且つ低速回転時間を０．０５〜０．３秒になるように各スプールチャック４０１ａ〜４０１ｆ毎に切り換えポイントＸの修正値（時間）を出す。得られた各スプールチャック４０１ａ〜４０１ｆ毎の切り換えポイントＸの修正値（時間）を平均し各スプールチャック４０１ａ〜４０１ｆの共通の切り換えポイントＸの修正値（時間）とする。
【００６３】
次に２巡目のステーションＳＴ４で行われる各スプールチャック４０１ａ〜４０１ｆを使用した写真フィルムのスプールへの巻取りは、この共通の切り換えポイントＸの修正値（時間）を各スプールチャック４０１ａ〜４０１ｆに適応して行う。
【００６４】
３）ステーションＳＴ４で行われる初回の写真フィルムのスプールへの巻取りを、高速回転から低速回転への切り換えポイントＸを修正することなしにターレットに配設してあるスプールチャック４０１ａ〜４０１ｆが一巡するまで行う。このとき各スプールチャック４０１ａ〜４０１ｆの余裕時間及び低速回転時間に関する情報は、ドライバーを介してＰＬＣのＣＰＵへ入力される。入力された各スプールチャック４０１ａ〜４０１ｆの余裕時間及び低速回転時間と予め設定されている巻取り限度時間に対する余裕時間及び低速回転時間とを比較する。余裕時間及び低速回転時間が設定されている巻取り限度時間に対する余裕時間及び低速回転時間より外れている場合は、余裕時間が予め設定されている巻取り限度時間Ｔに対して５〜３０％で、且つ低速回転時間を０．０５〜０．３秒になるように各スプールチャック４０１ａ〜４０１ｆ毎に切り換えポイントＸの修正値（時間）を出す。次に２巡目のステーションＳＴ４で行われる各スプールチャック４０１ａ〜４０１ｆを使用した写真フィルムのスプールへの巻取りは、この各スプールチャック４０１ａ〜４０１ｆ毎に得られた切り換えポイントＸの修正値（時間）を各スプールチャック４０１ａ〜４０１ｆに適応して行う。
【００６５】
上記、１）〜３）に挙げた方法の中で、１）、２）の方法はターレット方式ではなく、同じ場所で写真フィルムのスプールへの巻取りを行う方式の巻取り装置にも適用可能な方法である。
【００６６】
【実施例】
以下に本発明の効果を実施例により具体的に説明するが、本発明はこれらに限定されるものではない。
【００６７】
実施例１図３に示されるターレット方式の巻取り装置を用いて、図５に示す巻取りカーブに従って、表１に示すように、高速回転から低速回転への切り換えポイントを修正することで余裕時間、低速回転時間を変化させ、１３５タイプ写真フィルムを一定の長さの後端部（舌端部）を残してスプールに巻取りスクロールを各１２本作製し試料１０１〜１１２とした。
【００６８】
尚、使用した１３５タイプ写真フィルムは撮影規定枚数が３６枚撮りを使用した。
【００６９】
（評価）
各試料１０１〜１１２につき、後端部（舌端部）の長さを測定し、下記の評価ランクに従い評価した結果を表１に示す。尚、後端部（舌端部）の長さはＩＳＯ１００７：２０００に準じて鋼製スケールにより測定した値を示す。
【００７０】
後端部（舌端部）の長さの評価ランク
○：５５〜６０ｍｍの範囲内にある場合
×：５５ｍｍ未満及び６０ｍｍを超える場合
【００７１】
【表１】
2004226527.tif 000003
【００７２】
【発明の効果】
写真フィルムを一定の長さの後端部（舌端部）を残してスプールに決められた限度時間内に巻取る時、撮影規定枚数に応じて長さが異なる写真フィルム、写真フィルムの支持体の厚さ及び厚さの変動に対しても、常に安定した一定の長さの後端部（舌端部）を残してスプールに巻取る方法を提供することが出来、良品率が向上した。
【図面の簡単な説明】
【図１】パトローネ入り写真フィルムの分解斜視図である。
【図２】図１に示されるスクロールのスプールと写真フィルムの先端部との係止状態を示す概略斜視図である。
【図３】図１に示されるスクロールをターレット方式により製造する一例を示す概略図である。
【図４】巻取り状態を示す概略斜視図である。
【図５】ＰＬＣにより制御された駆動源による巻取りカーブを示す概略図である。
【図６】図４の巻取り装置を構成する各部材の関係を示す概略のブロック図である。
【図７】巻取りカーブの修正の概略フロー図である。
【符号の説明】
３  スクロール
３０１  スプール
３０２  写真フィルム
３０２ａ  端部（舌端部）
４  ターレット
４０１、４０１ａ〜４０１ｆ  スプールチャック
５  センサ
６  巻取り装置
６０１  駆動源
６０２  回転部
７  ＰＬＣ
８  ドライバ
【図１】
2004226527.tif 000004
【図２】
2004226527.tif 000005
【図３】
2004226527.tif 000006
【図４】
2004226527.tif 000007
【図５】
2004226527.tif 000008
【図６】
2004226527.tif 000009
【図７】
2004226527.tif 000010